(57)【特許請求の範囲】
【請求項１】
インシュレータと、このインシュレータのコンタクト収容部にフローティング状態で保持され、開ループ状に折り曲げられたコンタクトとを備え、前記コンタクトの一部が前記コンタクト収容部から突出し、２つの接続対象物に挟まれて、両接続対象物を電気的に接続するコネクタにおいて、
前記インシュレータは、
前記両接続対象物のうちの一方の接続対象物に対向する底面と、
前記両接続対象物のうちの他方の接続対象物に対向する側面とを有し、
前記コンタクト収容部は、前記底面及び前記側面で開口し、
前記コンタクトは、
前記底面に位置する前記開口を通じて前記一方の接続対象物に接触する第１接触部と、
前記コンタクト収容部の内壁に接続対象物接続・離脱方向と直交する方向へ突き当たる第１突当部と、
前記第１接触部と前記第１突当部との間に位置し、前記側面に位置する前記開口を通じて前記他方の接続対象物に接触する第２接触部と、
前記第１突当部と前記第２接触部との間に位置し、前記コンタクト収容部の内壁に前記接続対象物接続・離脱方向へ突き当たる第２突当部とを有し、
前記コンタクトは前記第１突当部を中心にして回転可能であり、
前記第１接触部は前記接続対象物接続・離脱方向と平行で前記第１突当部を通る線分を境にして前記第２接触部がある側と反対側にある
ことを特徴とするコネクタ。
【請求項２】
前記コンタクト収容部の断面をほぼＬ字状にして、前記両方の接続対象物を接続したときに前記第１接触部を前記コンタクト収容部内に収容可能にしたことを特徴とする請求項１記載のコネクタ。
【請求項３】
前記コンタクトはほぼＪ字状又はＵ字状であることを特徴とする請求項１又は２記載のコネクタ。
【発明の詳細な説明】
【０００１】
【発明の属する技術分野】
この発明は２つの接続対象物に挟まれて、両接続対象物を電気的に接続するコネクタに関し、特にマザーボード等の実装面上にＩＣパッケージやドーターボード等を前記実装面に対して直角な状態に接続するのに適したコネクタに関する。
【０００２】
【従来の技術】
従来のこの種のコネクタとして、インシュレータと、このインシュレータのコンタクト収容部にフローティング状態で保持され、開ループ状に折り曲げられたコンタクトとを備え、前記コンタクトの一部が前記コンタクト収容部から突出しているものがある（特開平１１−６７３８８号公報参照）。
【０００３】
【発明が解決しようとする課題】
このコネクタでは、コンタクトの一部がインシュレータに圧入されているので、ばねの働きをする部分の長さであるコンタクトのばね長がコンタクト全長に対して占める割合が小さく、コンタクトの接触部の変位量が乏しかった。このため、寸法誤差や組立時等の誤差によって、両接続対象物の端子部間の距離に誤差が生じたとき、接触不良を起こす虞があった。
【０００４】
これに対し、確実な接続を得るためにコンタクトの接触部の変位量を充分に確保するとコンタクトの全長が長くなり、コネクタの大型化を招く。また、電流の通路長が長くなり、高速通信等に不利になる。
【０００５】
この発明はこのような事情に鑑みてなされたもので、その課題はコネクタを大型化することなく、コンタクトの変位量を大きくし、確実に接続対象物同士を接続することができるコネクタを提供することである。
【０００６】
【課題を解決するための手段】
前述の課題を解決するため請求項１の発明のコネクタは、インシュレータと、このインシュレータのコンタクト収容部にフローティング状態で保持され、開ループ状に折り曲げられたコンタクトとを備え、前記コンタクトの一部が前記コンタクト収容部から突出し、２つの接続対象物に挟まれて、両接続対象物を電気的に接続するコネクタにおいて、前記インシュレータは、前記両接続対象物のうちの一方の接続対象物に対向する底面と、前記両接続対象物のうちの他方の接続対象物に対向する側面とを有し、前記コンタクト収容部は、前記底面及び前記側面で開口し、前記コンタクトは、前記底面に位置する前記開口を通じて前記一方の接続対象物に接触する第１接触部と、前記コンタクト収容部の内壁に接続対象物接続・離脱方向と直交する方向へ突き当たる第１突当部と、前記第１接触部と前記第１突当部との間に位置し、前記側面に位置する前記開口を通じて前記他方の接続対象物に接触する第２接触部と、前記第１突当部と前記第２接触部との間に位置し、前記コンタクト収容部の内壁に前記接続対象物接続・離脱方向へ突き当たる第２突当部とを有し、前記コンタクトは前記第１突当部を中心にして回転可能であり、前記第１接触部は前記接続対象物接続・離脱方向と平行で前記第１突当部を通る線分を境にして前記第２接触部がある側と反対側にあることを特徴とする。
【０００７】
上述のように前記コンタクトが第１接触部と第１突当部と第２接触部と第２突当部とを有し、前記コンタクトが第１突当部を中心にして回転可能であるので、コンタクトの全体がばね部として働き、しかも回転する。
【０００８】
請求項２の発明は請求項１記載のコネクタにおいて、前記コンタクト収容部の断面をほぼＬ字状にして、前記両方の接続対象物を接続したときに前記第１接触部を前記コンタクト収容部内に収容可能にしたことを特徴とする。
【０００９】
上述のように前記コンタクト収容部の断面をほぼＬ字状にして、前記両方の接続対象物を接続したときに前記第１接触部を前記コンタクト収容部内に収容可能にしたので、コンタクトの第１接触部の突出量を大きくせずに第１接触部の大きな変位量が確保される。
【００１０】
請求項３の発明は請求項１又は２記載のコネクタにおいて、前記コンタクトはほぼＪ字状又はＵ字状であることを特徴とする。
【００１１】
上述のようにコンタクトがほぼＪ字状又はＵ字状であるので、コンタクトの変位量がより多くなる。
【００１２】
【発明の実施の形態】
以下、この発明の実施の形態を図面に基づいて説明する。
【００１３】
図１はこの発明の第１実施形態に係るコネクタの接続前の状態を示す断面図、図２は図１のコネクタの接続後の状態を示す断面図、図３は図１のコネクタの接続前の状態を示す斜視図、図４は図１のコネクタの一部を切り欠いた状態を示す斜視図、図５は図１のコネクタのコンタクトに作用する力を示す説明図、図６は図１のコネクタのコンタクトにおける電流の通路を示す説明図である。
【００１４】
このコネクタはインシュレータ３とコンタクト５とからなる。このコネクタを用いて、マザーボード（一方の接続対象物）１１の実装面１１ａに対してＩＣパッケージ（他方の接続対象物）１３のピン１３ａの長手方向が直角になるようにＩＣパッケージ１３を接続する。
【００１５】
インシュレータ３はほぼ角柱状であり、その長手方向に沿って所定間隔でコンタクト収容部３ａが複数形成されている（図３及び図４参照）。このコンタクト収容部３ａの横断面形状はほぼＬ字状である。このほぼＬ字状のコンタクト収容部３ａは図２に示すようにマザーボード１１にＩＣパッケージ１３を接続したときに後述の第１の接触部５ａを収容可能である。このコンタクト収容部３ａ内には一対の突起３ｂが突出している。このインシュレータ３はＩＣパッケージ１３を保持しているホルダ１５の一端面に固定されている。
【００１６】
コンタクト５はインシュレータ３のコンタクト収容部３ａにフローティング状態で保持されている。このコンタクト５は金属板をほぼ短冊状に打抜いた後、ほぼＪ字状（開ループ状）に折り曲げることにより形成されている。このコンタクト５は第１接触部５ａと第１突当部５ｂと第２接触部５ｃと第２突当部５ｄとを有している。第１接触部５ａはコンタクト収容部３ａから突出し、マザーボード１１の接触パッド１１ｂに接触する。第１突当部５ｂは、コンタクト収容部３ａの内壁に、ＩＣパッケージ１３のマザーボード１１に対する接続・離脱方向（以下接続・離脱方向という）ａと直交する方向ｂへ突き当たる。この第１突当部５ｂには、インシュレータ３の一対の突起３ｂを受け入れる一対の切欠きが５ｅが形成されている。第２接触部５ｃは第１接触部５ａと第１突当部５ｂとの間に位置し、ＩＣパッケージ１３のピン１３ａと接触する。第２突当部５ｄは第１突当部５ｂと第２接触部５ｃとの間に位置し、コンタクト収容部３ａの内壁に接続・離脱方向ａへ突き当たる。
【００１７】
このコンタクト５は突起３ｂに係合した第１突当部５ｂを中心にして回転可能である。
【００１８】
次にこのコネクタの動作について説明する。
【００１９】
図５に示すように、まず、マザーボード１１に対してコネクタをＩＣパッケージ１３等とともに接続・離脱方向ａに沿って下降させる。コンタクト５の第１接触部５ａがマザーボード１１の接触パッド１１ｂに接触した後、コンタクト５の第２突当部５ｄは接続・離脱方向ａでコンタクト収容部３ａの内壁面に突き当たる。この結果、図５に示すように、第２突当部５ｄはインシュレータ３から接続・離脱方向ａと平行な方向の反作用力Ｆ１を受け、この反作用力Ｆ１がコンタクト５の第１接触部５ａに伝わり、接続・離脱方向ａと平行な方向の接触力Ｆ２が生じる。
【００２０】
更にインシュレータ３を下降させると、図５上、接続・離脱方向ａと平行で突起３ｂを通る線分Ｌの左側で接触力Ｆ２がコンタクト５に作用するので、コンタクト５に第１突当部５ｂを中心とする右回りのモーメントＭが生じる。この結果、第２接触部５ｃはＩＣパッケージ１３のピン１３ａに接触し、接続・離脱方向ａに直交する方向ｂと平行な方向の接触力Ｆ３が生じる。この接触力Ｆ３によってコンタクト５は、図５上、左側へ動こうとするが、第１突当部５ｂがコンタクト収容部３ａの内壁面に突き当たり、その反作用力Ｆ４が第１突当部５ｂに作用し、接触力Ｆ３と反作用力Ｆ４とが釣り合うので、コンタクト５は安定した状態になり、ＩＣパッケージ１３がマザーボード１１へ接続される。このとき、図６に示すように、第１接触部５ａと第２接触部５ｃとの間に電流の通路ｅが形成される。
【００２１】
更にインシュレータ３を下降させると、図２に示すようにＩＣパッケージ１３のマザーボード１１に対する接続が完了する。この接続状態はホルダ１７によって維持される。
【００２２】
次にこのコネクタの作用効果について説明する。
【００２３】
上述のようにコンタクト５が第１接触部５ａと第１突当部５ｂと第２接触部５ｃと第２突当部５ｄとを有し、コンタクト５が第１突当部５ｂを中心にして回転可能であるので、コンタクト５の全体がばね部として働き、コネクタを大型化することなく第１接触部５ａの変位量を多くすることができ、マザーボード１１とＩＣパッケージ１３とを確実に接続することができる。
【００２４】
また、上述のようにコンタクト収容部３ａの断面形状をほぼＬ字状にして、ＩＣパッケージ１３をマザーボード１１に接続したときに第１接触部５ａをコンタクト収容部３ａ内に収容可能にしたので、コンタクト５の第１接触部５ａの突出量を大きくせずに第１接触部５ａの大きな変位量を確保することができる。
【００２５】
更に、上述のようにコンタクト５がほぼＪ字状であるので、コンタクト５の変位量をより多くすることができる。
【００２６】
図７はこの発明の第２実施形態に係るコネクタの接続前の状態を示す断面図、図８は図７のコネクタの接続後の状態を示す断面図である。
【００２７】
この実施形態は図１及び図２に示す実施形態と同じ構成であるので、構成の説明を省略する。
【００２８】
この実施形態のコネクタには、寸法誤差、組立誤差等からＩＣパッケージ１３のピン１３ａとインシュレータ３との間に隙間ｇが生じている。しかしこのような状態でも、このコネクタは確実にマザーボード１１とＩＣパッケージ１３とを接続できる。この点について説明すると、図７に示す状態ではコンタクト５に接触力が発生していないが、第１接触部５ａがマザーボード１１の接触パッド１１ｂに接触すると、第１実施形態で説明した通り、コンタクト５が第１突当部５ｂを中心にして回転する。このとき、コンタクト５は隙間ｇの分だけ、第１実施形態の場合よりも多く回転し、第２接触部５ｃが大きく変位する。この結果、隙間ｇの影響を受けること無く、図８に示すようにＩＣパッケージ１３をマザーボード１１に確実に接続することができる。
【００２９】
なお、上述の実施形態ではコンタクト５をほぼＪ字状に形成したが、これに限らず、Ｕ字状等でもよく、要するにコンタクトを開ループ状に形成すればよい。
【００３０】
また、上述の実施形態ではコンタクト収容部３ａを断面Ｌ字状に形成したが、必ずしもコンタクト収容部の断面形状をＬ字状にする必要は無い。
【００３１】
また、上述の実施形態は、ＩＣパッケージ１３をマザーボード１１に接続するコネクタであるが、本発明は基板同士を接続するコネクタ、電子部品同士を接続するコネクタなどにも適用でき、その用途は限定されない。
【００３２】
【発明の効果】
以上説明したように請求項１の発明のコネクタによれば、コンタクトの全体がばね部として働き、しかも回転するので、コネクタを大型化することなく第１接触部と第２接触部の変位量を多くすることができ、接続対象物同士を確実に接続することができる。
【００３３】
請求項２の発明のコネクタによれば、コンタクトの第１接触部の突出量を大きくせずに第１接触部の大きな変位量を確保することができる。
【００３４】
請求項３の発明のコネクタによれば、コンタクトがほぼＪ字状又はＵ字状であるので、コンタクトの変位量をより多くすることができる。
【図面の簡単な説明】
【図１】図１はこの発明の第１実施形態に係るコネクタの接続前の状態を示す断面図である。
【図２】図２は図１のコネクタの接続後の状態を示す断面図である。
【図３】図３は図１のコネクタの接続前の状態を示す斜視図である。
【図４】図４は図１のコネクタの一部を切り欠いた状態を示す斜視図である。
【図５】図５は図１のコネクタのコンタクトに作用する力を示す説明図である。
【図６】図６は図１のコネクタのコンタクトにおける電流の通路を示す説明図である。
【図７】図７はこの発明の第２実施形態に係るコネクタの接続前の状態示す断面図である。
【図８】図８は図７のコネクタの接続後の状態を示す断面図である。
【符号の説明】
３  インシュレータ
３ａ  コンタクト収容部
５  コンタクト
５ａ  第１接触部
５ｂ  第１突当部
５ｃ  第２接触部
５ｄ  第２突当部
１１  マザーボード（一方の接続対象物）
１３  ＩＣパッケージ（他方の接続対象物）
ａ  接続・離脱方向
ｂ  接続・離脱方向と直交する方向
【図１】
0003594911.tif 000002
【図２】
0003594911.tif 000003
【図３】
0003594911.tif 000004
【図４】
0003594911.tif 000005
【図５】
0003594911.tif 000006
【図６】
0003594911.tif 000007
【図７】
0003594911.tif 000008
【図８】
0003594911.tif 000009